(57)【要約】通信システム（２０）は第１と第２の送信機（３６Ａ、３６Ｂ）を有し、それらはそれぞれ第１と第２のデータを搬送する第１と第２の無線周波数（ＲＦ）信号を１つの無線通信チャネル上で送信する。それら送信機は１群の動作モードより１つの動作モードを選択し、前記選択された動作モードで動作するように接続される。１群の動作モードは、１つの保護モード、ここにおいて第２の送信機は第１の送信機のバックアップとして働き、１つの空間多重モード、ここにおいて第１のデータは第２のデータとは異なり、第１と第２の送信機は同時に送信し、１つのビーム形成モードと、ここにおいて第１のデータは第２のデータと同一であり、第２のＲＦ信号は第１のＲＦ信号の１つの位相偏移した複製を有し、第１と第２の送信機は同時に送信し、のモードの内、少なくとも２つのモードを有する。【選択図】図１
2011510554.tif 000002
【特許請求の範囲】
【請求項１】
第１と第２の送信機を有する通信システムであって、
前記送信機はそれぞれ第１と第２のデータを搬送する第１と第２の無線周波数（ＲＦ）信号を１つの無線通信チャネル上で送信し、１群の動作モードより１つの動作モードを選択し、前記選択された動作モードで動作するように接続され、
ここにおいて前記１群の動作モードは、
１つの保護モードと、
ここにおいて前記第２の送信機は前記第１の送信機のバックアップとして働き、
１つの空間多重モードと、
ここにおいて前記第１のデータは前記第２のデータとは異なり、前記第１と第２の送信機は同時に送信し、
１つのビーム形成モードと、
ここにおいて前記第１のデータは前記第２のデータと同一であり、前記第２のＲＦ信号は前記第１のＲＦ信号の１つの位相偏移した複製を有し、前記第１と第２の送信機は同時に送信し、
のモードの内、少なくとも２つのモードを有する、ことを特徴とするシステム。
【請求項２】
前記システムの１つの条件を評価し、前記評価された条件に対応して前記動作モードを前記１群の動作モードより選択し、前記選択された動作モードで前記第１および第２の送信機を動作させる、ように設定される少なくとも１つのコントローラを有することを特徴とする請求項１に記載のシステム。
【請求項３】
前記第１と第２のＲＦ信号を受信し、第１と第２の受信信号を生成するように接続される、第１と第２の受信機と、  
少なくとも１つのコントローラにより制御され、前記第１と第２のデータの少なくとも一部を復号するため、前記選択された動作モードに従って前記第１と第２の受信信号を処理するように接続される、１つの出力モジュールと、
を有することを特徴とする請求項２に記載のシステム。
【請求項４】
前記出力モジュールに対し、前記システムが前記保護モードで動作する場合は、前記第１と第２の受信信号の１つからの前記第１と第２のデータの少なくとも一部を復号させ、前記システムが前記空間多重モード及び前記ビーム形成モードの内の１つの動作モードで動作する場合は、前記第１と第２の受信信号からの前記第１と第２のデータを一緒に復号させるように、少なくとも１つのコントローラが設定される、ことを特徴とする請求項３に記載のシステム。
【請求項５】
前記システムが前記保護モードで動作する場合、前記第１の受信機と前記第２の受信機の両方が前記第１のＲＦ信号を受信するように構成され、前記第２の受信機は前記第１の受信機に対するバックアップとして機能する、ことを特徴とする請求項３に記載のシステム。
【請求項６】
前記システムが前記保護モードで動作する場合、前記第２の受信機は非活性であり、ここにおいて少なくとも１つのコントローラは、前記第１の受信機の１つの機能不全に対応して前記第２の受信機を起動するように設定される、ことを特徴とする請求項５に記載のシステム。
【請求項７】
前記システムが前記保護モードで動作する場合、前記第１の受信機と前記第２の受信機の両方が起動されており、前記出力モジュールが前記第１の受信機からの前記第１のデータを復号し、ここにおいて少なくとも１つのコントローラが、前記出力モジュールに対し、前記第１の受信機の１つの機能不全に対応して前記第２の受信機からの前記第１のデータの復号を開始させるように設定される、ことを特徴とする請求項５に記載のシステム。
【請求項８】
前記システムが前記ビーム形成モードで動作する場合、前記出力モジュールは、前記第１と第２のＲＦ信号間の１つの位相偏移にかかわりなく前記第１と第２のデータを一緒に復号するように接続される、ことを特徴とする請求項２に記載のシステム。
【請求項９】
前記第１と第２の送信機は、第１のアンテナ間距離だけ互いに離れて配置されるそれぞれ第１と第２の送信アンテナを有し、ここにおいて前記第１と前記第２の受信機はそれぞれ第２のアンテナ間距離だけ互いに離れて配置されるそれぞれ第１と第２の受信アンテナを有し、ここにおいて前記第１と第２のデータの一緒の復号が前記位相偏移に影響されないように、少なくとも１つの前記第１と第２のアンテナ間距離が選択される、ことを特徴とする請求項８に記載のシステム。
【請求項１０】
前記出力モジュールは、前記第１と第２のデータを復号する前に、前記第１と第２の受信信号にそれぞれ直交する第１と第２の位相回転信号を乗ずるように接続される、ことを特徴とする請求項８に記載のシステム。
【請求項１１】
少なくとも１つのコントローラが前記送信機を制御するための１つの送信機コントローラと、前記受信機と前記出力モジュールを制御するための１つの受信機コントローラとを有し、ここにおいて前記送信機コントローラと受信機コントローラは前記選択された動作モードを互いに調整する、ことを特徴とする請求項３に記載のシステム。
【請求項１２】
前記システムが前記ビーム形成モードで動作する場合、前記受信機コントローラは前記第１と第２の受信信号の測定を実行するように構成され、ここにおいて前記送信機コントローラは、前記第１と第２のＲＦ信号間の１つの位相偏移を前記測定に対応して修正するように設定される、ことを特徴とする請求項１１に記載のシステム。
【請求項１３】
少なくとも１つのコントローラは前記複数の送信機を制御するための１つの送信機コントローラと、前記複数の受信機と前記１つの出力モジュールを制御するための１つの受信機コントローラとを有し、ここにおいて前記受信機コントローラは、前記送信機コントローラにかかわりなく前記動作モードを選択するように設定される、ことを特徴とする請求項３に記載のシステム。
【請求項１４】
少なくとも１つのコントローラは、データ損失無しに前記複数の動作モードの間で交替を行うように設定される、ことを特徴とする請求項３に記載のシステム。
【請求項１５】
前記条件は、前記複数の送信機の１つと前記複数の受信機の１つの間の１つのチャネルの１つの特性、前記複数の受信機の１つの１つの受信品質、前記第１と第２のデータの内の１つのデータの１つの機能不全表示および１つの特性、から構成される１群のパラメータから選択された少なくとも１つのパラメータに依存する、ことを特徴とする請求項３に記載のシステム。
【請求項１６】
前記条件は、前記複数の送信機の内の１つの送信機の１つのモデムパラメータ、前記複数の受信機の内の１つの受信機の１つのモデムパラメータ、前記複数の受信信号の内の１つの受信信号の１つの信号雑音比（ＳＮＲ）、前記複数の送信機と前記複数の受信機との間の１つのチャネルの１つの分散特性、および前記複数の受信機の内の１つの受信機の１つの誤り率、から構成される１群のパラメータから選択された少なくとも１つのパラメータに依存する、ことを特徴とする請求項３に記載のシステム。
【請求項１７】
少なくとも１つのコントローラは、システムに対するメンテナンスの実行を可能にするため、前記保護動作モードを選択するように設定される、ことを特徴とする請求項３に記載のシステム。
【請求項１８】
前記第１と第２の送信機は、互いに位相同期している第１と第２のローカルオシレータ（ＬＯ）信号をそれぞれ使用して、前記第１と第２のＲＦ信号を生成するように接続される、ことを特徴とする請求項１−１７のいずれかに記載のシステム。
【請求項１９】
前記第１と第２の送信機は、互いに位相同期していない第１と第２のローカルオシレータ（ＬＯ）信号をそれぞれ使用して、前記第１と第２のＲＦ信号を生成するように接続される、ことを特徴とする請求項１−１７のいずれかに記載のシステム。
【請求項２０】
前記第１と第２の送信機は、それぞれ第１と第２の位相を有する第１と第２の周波数で前記第１と第２のＲＦ信号をそれぞれ送信し、ここにおいて前記第１と第２の送信機の内の一方は、前記第１と第２の送信機の内の他方の１つの周波数と１つの位相を追跡するように接続される、ことを特徴とする請求項１−１７のいずれかに記載のシステム。
【請求項２１】
第１と第２のデータを搬送する第１と第２の無線周波数（ＲＦ）信号を１つの無線通信チャネル上でそれぞれ第１と第２の送信機により送信するステップと、
１群の動作モードより１つの動作モードを選択し、前記第１と第２の送信機に対し前記選択された動作モードで動作させるステップと、
を有する通信の方法であって、
ここにおいて前記１群の動作モードは、
１つの保護モード、
ここにおいて前記第２の送信機は前記第１の送信機のバックアップとして働き、
１つの空間多重モード、
ここにおいて前記第１のデータは前記第２のデータとは異なり、前記第１と第２の送信機は同時に送信し、
１つのビーム形成モードと、
ここにおいて前記第１のデータは前記第２のデータと同一であり、前記第２のＲＦ信号は前記第１のＲＦ信号の１つの位相偏移した複製を有し、前記第１と第２の送信機は同時に送信し、
のモードの内、少なくとも２つのモードを有する、
ことを特徴とする方法。
【請求項２２】
１つのシステム条件を評価するステップと、前記評価された条件に対応して前記１群の動作モードから前記１つの動作モードを選択するステップとを有する、ことを特徴とする請求項２１に記載の方法。
【請求項２３】
それぞれ第１と第２の受信機を使用して前記第１と第２のＲＦ信号を受信し、第１と第２の受信信号を生成するステップと、
前記選択された動作モードに従って前記第１と第２のデータの少なくとも一部を復号するため、前記第１と第２の受信信号を処理するステップと、
を有する、ことを特徴とする請求項２２に記載の方法。
【請求項２４】
前記受信信号を処理するステップは、
前記選択された動作モードが前記保護モードからなる場合に、前記第１と第２の受信信号の１つからの前記第１と第２のデータの少なくとも一部を復号するステップと、
前記選択された動作モードが前記空間多重モード及び前記ビーム形成モードの内の１つの動作モードからなる場合に、前記第１と第２の受信信号からの前記第１と第２のデータを一緒に復号するステップと、
を有する、ことを特徴とする請求項２３に記載の方法。
【請求項２５】
前記選択された動作モードが前記保護モードからなる場合に、前記ＲＦ信号を受信するステップは、前記第１の受信機と前記第２の受信機の両方により前記第１のＲＦ信号を受信するステップを有し、ここにおいて前記第２の受信機は前記第１の受信機に対するバックアップとして機能する、ことを特徴とする請求項２３に記載の方法。
【請求項２６】
前記選択された動作モードが前記保護モードからなる場合に、前記ＲＦ信号を受信するステップは、前記第２の受信機を非活性化するステップと、前記第１の送信機の１つの機能不全に対応して前記第２の受信機を起動するステップと、を有することを特徴とする請求項２５に記載の方法。
【請求項２７】
前記選択された動作モードが前記保護モードからなる場合に、前記ＲＦ信号を受信するステップは、
前記第１の受信機と前記第２の受信機の両方を起動するステップと、
前記第１の受信機からの前記第１のデータを復号するステップと、
前記第１の受信機の１つの機能不全に対応して前記第２の受信機からの前記第１のデータの復号を開始するステップと、
を有することを特徴とする請求項２５に記載の方法。
【請求項２８】
前記選択された動作モードが前記ビーム形成モードからなる場合に、前記受信信号を処理するステップは、前記第１と第２のＲＦ信号間の１つの位相偏移にかかわりなく前記第１と第２のデータを一緒に復号するステップを有する、ことを特徴とする請求項２３に記載の方法。
【請求項２９】
前記第１と第２の送信機は、第１のアンテナ間距離だけ互いに離れて配置されるそれぞれ第１と第２の送信アンテナを有し、ここにおいて前記第１と前記第２の受信機はそれぞれ第２のアンテナ間距離だけ互いに離れて配置されるそれぞれ第１と第２の受信アンテナを有し、ここにおいて少なくとも１つの前記第１と第２のアンテナ間距離が、前記第１と第２のデータの一緒の復号が前記位相偏移に影響しないように選択される、ことを特徴とする請求項２８に記載の方法。
【請求項３０】
前記受信信号を処理するステップは、前記第１と第２のデータを復号する前に、前記第１と第２の受信信号にそれぞれ直交する第１と第２の位相回転信号を乗ずるステップを有する、ことを特徴とする請求項２８に記載の方法。
【請求項３１】
前記動作モードを選択するステップは、前記選択された動作モードを前記複数の送信機と前記複数の受信機の間で調整するステップを有する、ことを特徴とする請求項２３に記載の方法。
【請求項３２】
前記選択された動作モードが前記ビーム形成モードからなる場合に、前記受信信号を処理するステップは、前記第１と第２の受信信号の測定を実行するステップを有し、前記第１と第２のＲＦ信号を送信するステップは、前記第１と第２のＲＦ信号間の１つの位相偏移を前記測定に対応して修正するステップを有する、ことを特徴とする請求項２３に記載の方法。
【請求項３３】
前記動作モードを選択するステップは、前記複数の送信機にかかわりなく前記複数の受信機により前記モードを選択するステップを有する、ことを特徴とする請求項２３に記載の方法。
【請求項３４】
前記動作モードを選択するステップは、データ損失無しに前記複数の動作モードの間で交替を行うステップを有する、ことを特徴とする請求項２３に記載の方法。
【請求項３５】
前記システム条件は、前記複数の送信機の内の１つ送信機と前記複数の受信機の内の１つの受信機の間の１つのチャネルの１つの特性、前記複数の受信機の内の１つの受信機における１つの受信品質、前記第１と第２のデータの内の１つのデータの１つの機能不全表示および１つの特性、から構成される１群のパラメータから選択された少なくとも１つのパラメータに依存する、ことを特徴とする請求項２３に記載の方法。
【請求項３６】
前記システム条件は、前記複数の送信機の内の１つの送信機の１つのモデムパラメータ、前記複数の送信機の内の１つの送信機の１つのモデムパラメータ、前記複数の受信信号の内の１つの受信信号の１つの信号雑音比（ＳＮＲ）、前記複数の送信機と前記複数の受信機との間の１つのチャネルの１つの分散特性、および前記複数の受信機の内の１つの受信機の１つの誤り率、から構成される１群のパラメータから選択された少なくとも１つのパラメータに依存する、ことを特徴とする請求項２３に記載の方法。
【請求項３７】
前記保護動作モードを選択するステップは、システムに対するメンテナンスの実行を可能にするために前記モードを選択するステップを有する、ことを特徴とする請求項２３に記載の方法。
【請求項３８】
前記第１と第２のＲＦ信号を送信するステップは、互いに位相同期している第１と第２のローカルオシレータ（ＬＯ）信号をそれぞれ使用して、前記複数のＲＦ信号を生成するステップを有する、ことを特徴とする請求項２１−３７のいずれかに記載の方法。
【請求項３９】
前記第１と第２のＲＦ信号を送信するステップは、互いに位相同期していない第１と第２のローカルオシレータ（ＬＯ）信号をそれぞれ使用して、前記複数のＲＦ信号を生成するステップを有する、ことを特徴とする請求項２１−３７のいずれかに記載の方法。
【請求項４０】
前記第１と第２のＲＦ信号を送信するステップは、それぞれ第１と第２の位相を有する第１と第２の周波数で前記第１と第２のＲＦ信号を送信するステップと、前記第１と第２の送信機の内の一方の送信機により、前記第１と第２の送信機の内の他方の送信機の１つの周波数と１つの位相を追跡するステップと、を有することを特徴とする請求項２１−３７のいずれかに記載の方法。
【発明の詳細な説明】
【技術分野】
【０００１】
本発明は、一般的に無線通信リンクに関し、特に無線リンクを多重操作モードで操作する方法およびシステムに関するものである。
【背景技術】
【０００２】
ある通信システムは、装置機能不全や悪いチャネル条件に対する保護を提供するためデータを冗長通信リンク上で送受信する。例えば、エリクソンＬＭ社（キスタ、スウェーデン）は、このような保護された構成を採り入れたＭＩＮＩ−ＬＩＮＫと呼ばれるマイクロ波リンクの製品群を提供している。
【０００３】
ここに紹介され、採り入れられる特許文献１は通信システムにおいてセルの送信を保護する方法について記載している。送信側では、２つの同一のセルの流れが２つの離れた物理リンクに送信される。マーカーとして機能するセルは、セルのブロック又はセルのブロックの１組を区切るが、送信機において各流れに等間隔に挿入される。受信機側では、２つのセルの流れが受信され、送信誤りが少ない方の流れからブロック又はブロック群が選択される。
【０００４】
ここに紹介され、採り入れられる特許文献２は、ビット損失の無い経路交換法を開示している。１つの稼働経路と１つの保護経路上の同一のデジタルライン信号は、連続してそれぞれ別にビット誤りを監視される。ビット誤りが稼働経路において発見され、保護経路にビット誤りが無い場合、１つの交換トリガーが生成され、稼働経路から保護経路への交換がデータブロックごとに行われる。正しいデータのみが下流の機器に送信される。この方法は、ブロックの初め又は先頭に置かれた、ビット誤り検査のための１つの表示子を有する１フレーム長のデータブロックを使用する。
【０００５】
多重入力多重出力（ＭＩＭＯ）システムと呼ばれる他の通信システムでは、多重送受信アンテナを使用して同時に送受信する。あるＭＩＭＯ技術が信号の空間多重化を提供するために使用される。例えば、ここに紹介され、採り入れられる特許文献３は、空間多重化と非空間多重化の間で送信に特有の変数に対応して操作モードを適合させる、無線通信システムを開示している。ある実施形態では、利用者ユニットは利用者ユニットと基本送受信機基地と通信するモード判定ロジックを含む。モード判定ロジックは、受信した信号に対応して、利用者データ流が基本送受信機基地と利用者ユニットとの間で空間多重化と非空間多重化のどちらで送信されるべきかを判定する。
【０００６】
ここに紹介され、採り入れられる特許文献４は、多重送受信アンテナを有する通信システムで使用される制御方法について開示している。受信側が、複数の受信部門の中のいずれかの受信部門で正常状態と非正常状態との間で状態変化を検知すると、受信側は正常な受信部門の数以下の１つの数字を計算し、計算された数字の情報を送信側に送信する。送信側はそれに従って、操作される送信部門の数を適合させる。
【０００７】
他の通信システムは１つの送信された信号の位相偏移した複製を多重アンテナから送信し、１つの指向性高利得送信を生成する。この技術はしばしばビーム形成（ＢＦ）技術と呼ばれる。
【先行技術文献】
【特許文献】
【０００８】
【特許文献１】米国特許６，６１１，９４２
【特許文献２】米国特許５，６３１，８９６
【特許文献３】米国特許６，９３７，５９２
【特許文献４】米国特許出願公報２００７／００１０２０９
【発明の概要】
【０００９】
本発明の実施形態は、第１と第２の送信機を有する通信システムであって、
その送信機はそれぞれ第１と第２のデータを搬送する第１と第２の無線周波数（ＲＦ）信号を１つの無線通信チャネル上で送信し、１群の動作モードより１つの動作モードを選択し、選択された動作モードで動作するように接続され、
ここにおいて１群の動作モードは、
１つの保護モードと、
ここにおいて第２の送信機は第１の送信機のバックアップとして働き、
１つの空間多重モードと、
ここにおいて第１のデータは第２のデータとは異なり、第１と第２の送信機は同時に送信し、
１つのビーム形成モードと、
ここにおいて第１のデータは第２のデータと同一であり、第２のＲＦ信号は第１のＲＦ信号の１つの位相偏移した複製を有し、第１と第２の送信機は同時に送信し、
のモードの内、少なくとも２つのモードを有する、ことを特徴とするシステム、を提供する。
【００１０】
ある実施形態では、システムは、システムの１つの条件を評価し、評価された条件に対応して動作モードを１群の動作モードより選択し、第１および第２の送信機に選択された動作モードで動作させる、ように構成される少なくとも１つのコントローラを有する。開示された実施形態では、システムは、第１と第２のＲＦ信号を受信し、第１と第２の受信信号を生成するように接続される、第１と第２の受信機と、少なくとも１つのコントローラにより制御され、選択された動作モードに従って第１と第２のデータの少なくとも一部を復号するため、第１と第２の受信信号を処理するように接続される、１つの出力モジュールと、を有する。ある実施形態では、少なくとも１つのコントローラが、前記出力モジュールに対し、前記システムが前記保護モードで動作する場合は、前記第１と第２の受信信号の１つからの前記第１と第２のデータの少なくとも一部を復号させ、前記システムが前記空間多重モード及び前記ビーム形成モードの内の１つの動作モードで動作する場合は、前記第１と第２の受信信号からの前記第１と第２のデータを一緒に復号させるように構成される。
【００１１】
他の実施形態では、システムが保護モードで動作する場合、記第１の受信機と第２の受信機の両方が第１のＲＦ信号を受信するように構成され、第２の受信機は第１の受信機に対するバックアップとして機能する。さらに他の実施形態では、システムが保護モードで動作する場合、第２の受信機は非活性であり、ここにおいて少なくとも１つのコントローラは、第１の受信機の１つの機能不全に対応して第２の受信機を起動するように構成される。他の実施形態では、システムが保護モードで動作する場合、第１の受信機と第２の受信機の両方が起動されており、出力モジュールが第１の受信機からの第１のデータを復号し、ここにおいて少なくとも１つのコントローラが、出力モジュールに対し、第１の受信機の１つの機能不全に対応して第２の受信機からの第１のデータの復号を開始させるように構成される。
さらに他の実施形態では、システムがビーム形成モードで動作する場合、出力モジュールは、第１と第２のＲＦ信号間の１つの位相偏移にかかわりなく第１と第２のデータを一緒に復号するように接続される。ある実施形態では、第１と第２の送信機は、第１のアンテナ間距離だけ互いに離れて配置されるそれぞれ第１と第２の送信アンテナを有し、ここにおいて第１と第２の受信機はそれぞれ第２のアンテナ間距離だけ互いに離れて配置されるそれぞれ第１と第２の受信アンテナを有し、ここにおいて少なくとも１つの第１と第２のアンテナ間距離が、第１と第２のデータの一緒の復号が位相偏移に感応しないように選択される。
【００１２】
開示された実施形態では、出力モジュールは、第１と第２のデータを復号する前に、第１と第２の受信信号にそれぞれ直交する第１と第２の位相回転信号を乗ずる。他の実施形態では、少なくとも１つのコントローラが送信機を制御するための１つの送信機コントローラと、受信機と出力モジュールを制御するための１つの受信機コントローラとを有し、ここにおいて送信機コントローラと受信機コントローラは選択された動作モードを互いに調整する。さらに他の実施形態では、システムがビーム形成モードで動作する場合、受信機コントローラは第１と第２の受信信号の１つの測定を実行するように構成され、ここにおいて送信機コントローラは、第１と第２のＲＦ信号間の１つの位相偏移を測定に対応して修正する。他の実施形態では、少なくとも１つのコントローラは送信機を制御するための１つの送信機コントローラと、受信機と前記出力モジュールを制御するための１つの受信機コントローラとを有し、ここにおいて受信機コントローラは、送信機コントローラにかかわりなく動作モードを選択する。
【００１３】
ＣＬ１４−２０
ある実施形態では、少なくとも１つのコントローラは、データ損失無しに前記複数の動作モードの間で交替を行う。１つの実施形態では、条件は、複数の送信機の１つと複数の受信機の１つの間の１つのチャネルの１つの特性、複数の受信機の１つにおける１つの受信品質、第１と第２のデータの１つの１つの機能不全表示、および１つの特性、から構成される１群のパラメータから選択された少なくとも１つのパラメータに依存する。他の実施形態では、条件は、複数の送信機の１つの１つのモデムパラメータ、複数の受信機の１つの１つのモデムパラメータ、複数の受信信号の１つの１つの信号雑音比（ＳＮＲ）、複数の送信機と複数の受信機との間の１つのチャネルの１つの分散特性、および複数の受信機の１つの１つの誤り率、から構成される１群のパラメータから選択された少なくとも１つのパラメータに依存する。ある実施形態では、少なくとも１つのコントローラは、システムに対するメンテナンスの実行を可能にするため、前記保護動作モードを選択する。
ある実施形態では、第１と第２の送信機は、互いに位相同期している第１と第２のローカルオシレータ（ＬＯ）信号をそれぞれ使用して、第１と第２のＲＦ信号を生成する。他の実施形態では、第１と第２の送信機は、互いに位相同期していない第１と第２のローカルオシレータ（ＬＯ）信号をそれぞれ使用して、第１と第２のＲＦ信号を生成する。１つの実施形態では、第１と第２の送信機は、それぞれ第１と第２の位相を有する第１と第２の周波数で第１と第２のＲＦ信号を送信し、ここにおいて第１と第２の送信機の一方は、第１と第２の送信機の他方の１つの周波数と１つの位相を追跡する。
【００１４】
さらに本発明の実施形態によれば、
第１と第２のデータを搬送する第１と第２の無線周波数（ＲＦ）信号を１つの無線通信チャネル上でそれぞれ第１と第２の送信機により送信するステップと、
１群の動作モードより１つの動作モードを選択し、第１と第２の送信機に対し選択された動作モードで動作させるステップと、
を有する通信の方法であって、
ここにおいて１群の動作モードは、
１つの保護モード、
ここにおいて第２の送信機は第１の送信機のバックアップとして働き、
１つの空間多重モード、
ここにおいて第１のデータは第２のデータとは異なり、第１と第２の送信機は同時に送信し、
１つのビーム形成モードと、
ここにおいて第１のデータは前記第２のデータと同一であり、第２のＲＦ信号は第１のＲＦ信号の１つの位相偏移した複製を有し、第１と第２の送信機は同時に送信し、
のモードの内、少なくとも２つのモードを有する、
ことを特徴とする方法、が提供される。
本発明は図面を参照した実施例の詳細な説明により、より十分に理解される。
【図面の簡単な説明】
【００１５】
【図１】本発明の実施形態の多重モード無線通信リンクの概略ブロック図である。
【図２】本発明の実施形態の多重モード無線通信リンクの、１つの動作モードにおける動作を示す概略ブロック図である。
【図３】本発明の実施形態の多重モード無線通信リンクの、他の１つの動作モードにおける動作を示す概略ブロック図である。
【図４】本発明の実施形態の多重モード無線通信リンクの、さらに異なる１つの動作モードにおける動作を示す概略ブロック図である。
【図５】本発明の実施形態の多重モード無線通信リンクの操作方法を示すフロー図である。
【図６】本発明の実施形態のアンテナ間距離の関数としての無線通信システムのシステム利得を示すグラフである。
【発明を実施するための形態】
【００１６】
（概要）
無線通信リンクはしばしば種々の動作条件および性能要求のもとで動作し、それらは時間とともに変化する。例えば変化する気候条件はリンク減衰を変化させ、機器の機能不全は性能と機能性に影響し、またリンクは可変の処理能力を要求されることもある。  
【００１７】
空間多重化、ビーム形成、バックアップ保護のような異なるリンク構成は、異なる条件と要求の組合せの下では好適であるかもしれない。例えば、空間多重化構成は高い処理能力に特徴があり、ビーム形成構成はリンク減衰が大きい場合に高いシステム利得を得るには好適であり、保護構造は信頼性を増大させるのに使用される。
【００１８】
しかし、リンク条件及び要求は時間とともに変化し、単一の構成では最高性能は得られない。ある１つの構成はある特定のシナリオでの極大性能を提供しても、他のシナリオでは劣るかもしれない。
本発明の実施形態では、多重モード通信リンクを提供し、それは、現在の条件及び／又は要求に適合させるため、動作モードを自動的に変更する。以下に述べるある実施形態では、多重モード通信リンクは多重の送信機と多重の受信機を有する。複数の送信機と複数の受信機は、保護構成、空間多重化構成、ビーム形成構成等の、複数の潜在的動作モードの内の１つのモードで動作するように構成可能である。
【００１９】
リンクは１つのシステム・コントローラを有し、それは１つの条件を評価し、複数の動作モードの内の１つのモードで動作するように、異なる複数のリンク要素を設定する。条件は種々のパラメータに基づきうる。それらは、送信機と受信機間の異なるチャネル条件、受信機での受信品質、送信機及び／又は受信機の機能不全の表示、および送信を意図されたデータの特性などである。コントローラはある所定の条件と要求の組合せに対する適切な動作モードの選択に関し異なるポリシーを適用してもよい。幾つかの例がここに示される。
【００２０】
ここに記述される多重モード通信リンクは、現在の条件に適合するようにその構成を改変し、従って時間と共に変化する広範な条件と要求の下で最大の性能を獲得することが出来る。さらに、ここに記載される方法はリンク規格の幾つかを緩和し、寸法を減少することを可能にする。このことは、有意なコスト、寸法及び電力消費削減をもたらします。また、自動的な多重モード動作は、単一型の１つのシステムをサイト固有の最適化の必要なく、種々のインストールや環境に対して使用可能とし、物流的な観点からも有利である。
【００２１】
（システム説明）
図１は本発明の実施形態の多重モード無線通信リンク２０の概略ブロック図である。リンク２０は１つの２重受信機（ＲＸ）２８と１つの無線チャネル上で通信する１つの２重送信機（ＴＸ）２４を有する。リンク２０はマイクロ波またはミリ波のリンクまたは、他の適切な型の無線通信リンクでもよい。
【００２２】
２重送信機２４は１つの入力モジュール３２を有し、それは入力データを受信し、ＤＡＴＡ１，ＤＡＴＡ２と表示される２つのデータ流を生成する。２重送信機は送信機３６Ａと３６Ｂを有し、それらはそれぞれＤＡＴＡ１，ＤＡＴＡ２を処理し、複数の無線周波数（ＲＦ）信号を生成する。無線信号はそれぞれ送信アンテナ４０Ａ，４０Ｂを経由して送信される。
【００２３】
典型的に、各２つの送信機はそれぞれのデータ流を誤り訂正記号（ＥＣＣ）を使用して符号化し、符号化されたデータを１つの適切な変調構造を使用して変調し、基底帯域信号をＲＦに上方変換し、ＲＦ信号を増幅し、送信アンテナを経由して送信する。送信機はしばしば、デジタル及び／又はアナログのフィルタリング、電力制御やその他機能などの追加の機能を果たす。２重送信機はさらに１つのＴＸコントローラ４４を有する。それは異なる送信機要素、特に入力モジュール３２、送信機３６Ａと３６Ｂ、を設定し制御する。
【００２４】
２重送信機２４から送信されたＲＦ信号は２重受信機２８に受信される。２重受信機は、受信アンテナ４８Ａ，４８Ｂを有し、それらは送信アンテナ４０Ａ，４０Ｂから送信された信号を受信する。送信アンテナと受信アンテナの対応関係は固定されておらず、ある受信アンテナは必ずしも単一の送信アンテナからの信号を受信するわけではないことに注意が必要である。以下で詳細に説明するように、リンク２０の幾つかの動作モードでは、各受信アンテナは両方の送信アンテナから送信された信号を受信する。一方他の動作モードでは、各受信アンテナは２つの送信アンテナの１つから送信された信号のみを受信する。
【００２５】
リンク２０の１つの典型的な配置では、送信および受信アンテナは指向性であり、即ち、指向性ビームパターンを有し、そのメインローブはリンクの反対側を指向している。リンクの幾何学形状は、典型的に、両方の受信アンテナが両方の送信アンテナのメインローブで包含される、またその逆も成り立つ、ように設定される。
【００２６】
ある実施形態では、送信機３６Ａと３６Ｂは異なる周波数で送信する。さらにあるいは、送信アンテナ４０Ａ，４０Ｂは異なる偏波で送信する。さらにあるいは、送信アンテナ及び受信アンテナは、空間的ダイバーシティを提供するため、互いにある距離を離して設置される。
【００２７】
受信アンテナ４８Ａ，４８Ｂで受信されたＲＦ信号は受信機５２Ａ，５２Ｂでそれぞれ処理される。各受信機は典型的にＲＦ信号を基底帯域に下方変換し、そして基底帯域信号を複数のデジタルサンプルの１つの流れに変換する。受信機５２Ａ，５２Ｂにより生成された２つのサンプルの流れは、１つの出力モジュール５６に提供される。出力モジュール５６はそのサンプルの流れを処理し、２つの受信された信号により搬送されたデータを再構築する。２重受信機はさらにＲＸコントローラ６０を有し、それは異なる受信機要素、特に出力モジュール５６および受信機５２Ａ，５２Ｂを設定し制御する。
【００２８】
ＴＸコントローラ４４及び／又はＲＸコントローラ６０はリンク２０において多重モード動作法を実行する。異なる機能は２つのコントローラ間で異なった方法で所望の通り分割されうる。このようにＴＸおよびＲＸコントローラは集合的に１つのシステム・コントローラとして見做され、それは以下に記載の方法を実行する。ＴＸおよびＲＸコントローラはデータを交換し、動作モードの変更を調整し、互いに通信する。ＴＸコントローラはＲＸコントローラに送信機３６Ａ及び／又は３６Ｂを使用してデータを送信する。ある実施形態では、リンク２０は逆方向チャネル６４を有し、それを使用してＲＸコントローラはＴＸコントローラにデータを送信することができる。典型的にコントローラ４４と６０は、複数の汎用プロセッサを有し、それらはここに記載される機能を実行するようにソフトウェア中でプログラムされている。ソフトウェアは、リンク２０経由のように電子的形態でプロセッサにダウンロード可能であり、あるいはソフトウェアは、プロセッサに接触可能媒体上で供給される。
【００２９】
各送信機および受信機は、典型的に送信機または受信機のアナログ処理機能を実行する１つのアナログ部と、デジタル処理機能を実行する１つのモデムを有する。アナログ部は例えばＲＦ集積回路（ＲＦＩＣ）、デスクリート部品、またはそれらの組合せを使用して実現されうる。モデムは、ＡＳＩＣ又はフィールド・プログラマブル・ゲートアレイ（ＦＰＧＡ）のようなハードウェアを使用して、あるいはソフトウェアを使用して、あるいはその組合せにより実現されうる。
【００３０】
ここに記載された実施形態は２つの送信機と２つの受信機の構成を主に述べているが、それは純粋に思想の明確化のためである。他の実施形態では、リンク２０はいかなる数の送信機及び／又は受信機を有してもよい。
【００３１】
（多重モードリンク操作）
本発明の実施形態はリンク２０の多重の送信機と受信機を３つの異なる動作モード、即ち保護モード、空間多重モード及びビーム形成モードにおいて操作する方法及びシステムを提供する。各モードはある条件下においてある性能上の優位性を有する。ここで既述される方法は、種々の状況に応じてこの３つのモード、または１つのサブ組のモード、の中で変化する。モード変更を誘発する幾つかの条件およびイベントが以下でさらに既述される。
【００３２】
図２−４は本発明の実施形態の多重モード無線通信リンクの、それぞれ異なる３つの動作モードにおける動作を示す概略ブロック図である。図２は保護モード、図３は空間多重モード、図４はビーム形成モードである。図２−４は図１に示す多重モードの異なるモードを示し、ＴＸ及びＲＸコントローラが、入力モジュール、送信機、受信機および出力モジュールを制御し設定するやり方が異なる。
【００３３】
図２はリンク２０の保護モードを示す。このモードでは、送信機３６Ａは主送信機として機能し、送信機３６Ｂはバックアップとして働く。２重の受信機の中で、受信機５２Ａは主受信機として働き、受信機５２Ｂはバックアップとして働く。デフォルトでは、バックアップ・リンク（即ち、バックアップ送信機および受信機からなるリンク）は非活性化され、データの送信には使用されない。主リンクが切断されると、ＴＸ及びＲＸコントローラは主送信機及び主受信機を非活性化させて、バックアップ送信機及び受信機を起動する。主リンクは、例えば主送信機又は主受信機の機能不全により、あるいは主リンクのチャネル条件が許容できないほど悪化すると、切断される。
【００３４】
送信機と受信機は活性状態とバックアップ状態の役割を通常交替する。例えば、主リンクが切断されたのち、以前バックアップと見做されていたリンクが主リンクとなる。このリンクが切断されると（そして、一方のリンクが修復されていた場合）以前主リンクであって、現在バックアップとして働くリンクに切り替えられる。
【００３５】
ある実施形態では、保護モードで動作する場合、ＴＸコントローラ４４は入力モジュール３２を、入力データを主送信機に向け、主送信機を起動し、バックアップ送信機を非活性化するように設定する。ＲＸコントローラ６０は出力モジュール５６を、出力データを主受信機から引き出し、主受信機を起動し、バックアップ受信機を非活性化するように設定する。ある実施形態では、主送信機と両方の受信機が起動されている。両方の受信機が主送信機から送信された信号を受信し、切断に対してヒットレスな方法で互いに保護する。主送信機が機能不全となると、ＴＸコントローラはバックアップ送信機を起動し切り替える。
（直接には保護に関しないが、片方の送信機及び／又は片方の受信機は他の理由で非活性化される。それは例えば、単一の送信機・受信機ペアで実行される初期のリンクの獲得及び立ち上げの間や、修理やアップグレードなどのメンテナンスの間などである。）
【００３６】
保護された通信リンクを操作するある追加の側面は、米国特許出願１１／６３４，７８１、名称「保護された可変レートリンクにおけるデータレート協調」、出願日２００６年１２月５日、及び  米国特許出願１１／８９１，７５４、名称「改善された保護表示を有する保護通信リンク」、出願日２００７年８月１３日、に記載されここに参照として採り入れられる。
【００３７】
図３はリンク２０の空間多重モードの操作を示す。この操作モードでは、送信機３６Ａと３６Ｂは共に起動され異なるデータを送信する。入力モジュール３２は入力データを受信し、それを２つのデータ流ＤＡＴＡ１，ＤＡＴＡ２（但し、ＤＡＴＡ１とＤＡＴＡ２は同一ではない）に、デマルチプレクサ６８を使用するなどで、分割する。このように送信機３６Ａと３６Ｂから送信されたＲＦ信号は典型的に異なり、かつ相関性が無い。２つのＲＦ信号は異なる周波数及び／又は異なる偏波で送信される。
【００３８】
２重受信機２８では、受信機５２Ａ，５２Ｂはこのモードでは共に起動されている。上記のように、リンクの幾何学的配置のため、各受信アンテナは両方の送信アンテナ４０Ａ，４０Ｂから送信された２つのＲＦ信号を受信する。このように各受信機５２Ａと５２ＢはＤＡＴＡ１とＤＡＴＡ２を搬送する２つの信号要素を処理する。しかし、これらの信号要素は、異なる無線チャネル上を経由して搬送されるため同一ではない。
【００３９】
出力モジュール５６は受信信号を受信機５２Ａ，５２Ｂより受け取り、ＤＡＴＡ１とＤＡＴＡ２を一緒に探知する。この目的のために種々の共同探索手法が使用されてもよい。例えば、出力モジュールは最大比合成（ＭＲＣ）を適用してもよい。或いはシステムは空間時間トレリス符号（ＳＴＴＣ）を使用してもよい。ＳＴＴＣは、例えば、Ｔａｒｏｋｈ他著、「高データレート無線通信用の空間時間符号：性能分析及び符号形成」ＩＥＥＥ情報理論会報、（４４：２）、１９９８年３月、７４４−７６５頁に記載されており、それはここに参照として採り入れられる。
【００４０】
さらに或いは、空間時間ブロック符号（ＳＴＢＣ）が使用されてもよい。ＳＴＢＣは例えば、Ａｌａｍｏｕｔｉ著、「無線通信用の単純送信ダイバーシティ技術」ＩＥＥＥ通信選択領域ジャーナル、第１６巻、Ｎｏ８、１９９８年１０月、１４５１−１４５８頁に記載されており、それはここに参照として採り入れられる。或いは出力モジュール５６は元の入力データをＤＡＴＡ１とＤＡＴＡ２から再構築し、データ列を出力してもよい。
【００４１】
図４はリンク２０のビーム形成モードの操作を示す。このモードでは両方の送信機は同一のデータを送信する。２つの送信アンテナから送信された２つのＲＦ信号は、位相偏移した互いの複製であり、２つの信号の相対位相は受信機２８の方向に向けられる１つの指向性ビームを形成するように選択される。
【００４２】
２つのＲＦ信号間の制御された位相偏移は、典型的に１つの送信機のローカル・オシレータ（ＬＯ）を他方の送信機のＬＯに固定することにより獲得される。或いは、送信機３６Ａと３６ＢのＬＯは１つの共通標準クロックに固定される。さらに或いは、２つの送信機のＬＯは異なる標準クロックに由来してもよく、この場合、送信機の一方は、他方の送信機の周波数と位相を追跡し、それに適合するように１つの修正ループを使用して、自分の周波数修正する。修正ループは典型的にデジタルであるが、アナログ方式も可能である。
【００４３】
２重受信機は指向性信号を受信するのに異なる構成を使用してもよい。ある実施形態では、受信機は受信機５２Ａ，５２Ｂの両方を起動し、出力モジュール５６は受信したサンプルの２つの列を一緒に探知する。例えば出力モジュールは、従来技術で既知の最大比合成を実行してもよい。
【００４４】
（異なる動作モードの特徴）
上記の３つの動作モードは異なる特徴、利点および制限があり、また異なる状況の下で性能上の利点を提供する。例えば、空間多重モードは、２つのリンクが異なるデータを並行して送信するので、高い処理量を提供するには好適である。一方ビーム形成モードは、非常に優れたリンクバジェットを提供するため、雨季のような悪いチャネル条件に好適である。保護モードは、信頼性が最大関心事である場合は当然好適です。保護モードは、ある時点をとると１つの送信機のみが起動されているため、リンクの信頼性（例えば、切断間平均時間−ＭＴＢＦ）を増大させるのにも使用できる。
【００４５】
システム・コントローラ（即ち、ＴＸコントローラ４４及び／又はＲＸコントローラ６０）は、ある条件を評価し、リンク２０の適切な動作モードをこの条件に基づいて選択する。コントローラは様々な条件に対応して、異なるモードの間で交替するため、種々の基準、ロジック、またはポリシーを適用する。条件は、送信機と受信機間の異なる無線通信チャネルの条件、受信機での受信品質、送信機及び／又は受信機の機器の機能不全表示、送信を意図されるデータの特性（例えば、所望処理量）などのパラメータや、他の適切なパラメータに基づいてもよい。
【００４６】
条件はまた、１つまたは両方の送信機又は受信機の１つのモデムパラメータ、１つまたは両方の受信機の信号対雑音比（ＳＮＲ）、１つまたは両方の受信機で測定された送信機と受信機間のチャネルの分散特性、及び１つまたは両方の受信機で測定又は積算された１つの誤り率、のような要素に依存してもよい。
【００４７】
例えば、コントローラは、リンクが機器の機能不全に反応出来るようにし、ＭＴＢＦを増大させるために、保護モードにあるリンクをデフォルトに設定し、てもよい。チャネル条件がある閾値より下回った場合（例えば、大雨）、コントローラはリンクがビーム形成モードで動作するように切り替えてもよい。このモードではリンクは切断に対して弾力性が低いが、しかし、チャネル減衰が大きい場合でも通信を維持することが出来る。チャネル条件が好転すると、コントローラはリンクを保護モードに戻してもよい。
【００４８】
他の例では、リンクは最初保護モードで動作する。送信機２４が非常に大きな情報量を送信しなければならない場合、コントローラは空間多重モードに切り替えて追加の処理量を得る。要求処理量が平常に戻った場合、コントローラは保護モードに戻してもよい。
【００４９】
更に他の例では、リンクは高い名目処理量を提供するため、最初空間多重モードで動作する。機器機能不全が起こった場合は保護モードに切り替えてもよい。リンクはこのように機能不全に拘わらず動作を続けるが、処理量は低下する。
【００５０】
さらに或いは、コントローラは他の適切な条件および他の適切なロジック又は基準を、評価された条件に基づいて適切な動作モードを選択するために適用してもよい。コントローラは、異なるモードへの、及び／又は、異なるモードからの移行に対する異なる条件などの、多重の条件を評価してもよい。詳細には条件は、１つのモードから他のモードへの移行する条件がその逆方向の移行の条件と異なる、１つの履歴特性を定義する。
【００５１】
リンク２０の多重モード動作は、広範な変化する条件と要求の下で、リンクが最良の性能を提供出来るようにする。さらに多重モードによりリンク規格の寸法の低減が可能となり、それにより、有意のコスト、寸法及び電力の低減を提供する。例えば、マイクロ波リンクは、通常特定の最大停電確率に適合するように設計される。停電期間は通常雨により引き起こされる。リンク２０がビーム形成モードで動作可能なため、リンクはこのモードを前提に所望の性能水準に適合するように設計可能であり、このことは送信機電力において最大９ｄＢの削減を可能にする。条件が良い場合、リンクは保護モードまたは空間多重モードで動作し、増大した信頼性及び／又は、処理量を提供することが出来る。  
【００５２】
ある実施形態では、ＴＸとＲＸコントローラは、１つのモードから他のモードへの移行がヒットレスである、即ち移行によりデータが全く失われないように、移行を調整する。例えば、データは番号を振られた、または、ＴＸとＲＸコントローラで識別可能な、複数のフレームで送信される。モード変更を始める場合、ＴＸとＲＸコントローラは変更が起こるある１つのフレームを調整し、送信機と受信機の両方の中の所望のフレーム内での移行を実行する。他の実施形態では、ヒットレス動作はＴＸとＲＸコントローラとの間の調整なしに実行される。
【００５３】
ある実施形態では、モード変更は、現在選択されているモードを感知している送信機２４を除外して、受信機２８においてのみ実行される。この実施形態では、それが存在した場合の、逆方向チャネル６４を使用したモード変更の調整は必要とされない。例えば、両方の送信機が同一のデータを送信し、２つの受信機が、送信機を巻き込むことなく、ビーム形成モードと保護モードとの間で交替するかもしれない。
【００５４】
図５は本発明の実施形態の多重モード無線通信リンクの操作方法を示すフロー図である。方法は最初に動作ステップ７０において、リンク２０が上記の動作モードの１つで動作することから始まる。システム・コントローラは、条件評価ステップ７４において、１つ以上の既定のモード変更条件を評価する。評価された条件に基づいて、コントローラは、点検ステップ７８において、リンクの動作モードを変更するかを点検する。
【００５５】
もし評価された条件がモード変更が実行されるべきと指示した場合、コントローラは、モード切り替えステップ８２において、それに従ってモードを切り替える。方法はステップ７０に戻り、リンク２０は新たに選択された動作モードで動作を開始する。
そうでない場合、即ち、コントローラがステップ７８において現在の動作モードが維持されるべきと判断した場合、方法はステップ８２を実行することなくステップ７０に戻り、リンクは動作モードを変更することなく動作を継続する。
【００５６】
（ビーム形成モードにおける位相偏移調整）
ビーム形成モードで動作する場合、システム利得（即ち、単一のアンテナを使用した場合と比較したリンクバジェットの改善）は、複数のリンクパラメータに依存する。それらは、通信範囲（送信機と受信機の距離）、リンク周波数、２つの送信アンテナ間の距離、及び２つの受信アンテナ間の距離である。
【００５７】
図６は本発明の実施形態のアンテナ間距離の関数としての無線通信システムのシステム利得を示すグラフである。この例では、リンク周波数は２３ＧＨｚであり、通信範囲は５，０００ｍである。送信アンテナ間の距離および受信アンテナ間の距離は、単純化のため同一と仮定する。他の実施形態では、送信アンテナ間の距離および受信アンテナ間の距離は異なる。
【００５８】
曲線８６は単一アンテナと比較したシステム利得をアンテナ間距離の関数としてｄＢで示したものである。システム利得は６−９ｄＢの間で変化する。９ｄＢの最大システム利得を得るためには、アンテナ４０Ａと４０Ｂから送信されたＲＦ信号間の位相偏移は、結果として得られる指向性ビームが正確に受信アンテナの１つに指向するように調整されなければならない。位相偏移は、受信機において受信信号を測定し、それに従い送信機において位相偏移を適用する、１つの閉鎖ループにより決定される。この閉鎖ループは典型的に測定結果及び／又は補正値を送信機にフィードバックするため、逆方向チャネルを使用する。この構成では、送信機３６Ａと３６Ｂのローカルオシレータ（ＬＯ）は、単一の標準クロックに両方のＬＯが由来するなどにより、典型的に、互いに位相固定される。
【００５９】
他の実施形態では、リンクは６ｄＢという低めのシステム利得を得るように設定されうるが、このような構成では、位相偏移の調整や受信機から送信機への他のフィードバックは必要ではない。このような実施形態では、リンクパラメータは６ｄＢの最低システム利得（図６の例では、アンテナ間距離が約５．７ｍの時）を得るように設定される。この設定では、システムは送信アンテナ間の位相偏移には感応しない；  従って２つの送信機のＬＯは必ずしも互いに位相同期している必要はない。時間と周波数の同期は取られている。
【００６０】
ある実施形態では、位相同期していないＬＯを使用する場合、２重受信機は、２つの受信機の出力において、それぞれ直交する位相回転信号をサンプル列に乗ずることにより、ＬＯ間の位相偏移を補償してもよい。例えば、出力モジュールは、１つの受信機（例えば受信機５２Ａ）の出力においてサンプル列に係数Ｓｉｎ（θｎ）を乗じ、他方の受信機（例えば受信機５２Ｂ）の出力に係数Ｃｏｓ（θｎ）を乗じてもよい。ここにθｎは１つのサンプルと次サンプルとの間で増加する１つの位相を表わし、それは２重受信機において１つの位相同期回路（ＰＬＬ）で生成されてもよい。２つの位相調整された信号はその後最大比合成（ＭＲＣ）を使用して一緒に復号されてもよい。
【００６１】
受信機から送信機にフィードバックが必要とされない他の１つの実施形態が、上記のＡｌａｍｏｕｔｉの著作に記載されている。その方法によれば、２つの送信機がＳ０とＳ１で表示される信号をある期間にそれぞれ送信する。次の期間に送信機は信号−Ｓ１＊と−Ｓ２＊をそれぞれ送信する。ここで＊は複素共役を示す。２つの受信機は、最大尤度復号を使用して、２つの期間で受信した信号から信号Ｓ０とＳ１を再構築する。リンク２０は空間多重モードにおいて類似の仕組みを使用してもよい。
【００６２】
ここに記載された実施形態は無線リンクの多重モード動作に関しているが、本発明の原理は、同期光ネットワーク（ＳＯＮＥＴ）、同期デジタル・ハイアラーキー（ＳＤＨ）保護線リンク、および準同期デジタル・ハイアラーキー（ＰＤＨ）保護線リンクなどの他の通信システムの多重モード動作にも使用可能である。
【００６３】
上記の実施形態は例示として引用され、本発明は特に上記に示され、また記載されたものに制限されない。むしろ、本発明の範囲は、上記で記載された種々の特徴の組合せ及び準組合せを含み、当業者が上記の記載を読んで想起する、従来技術に開示されていない、その変形及び修正をも含む。
【符号の説明】
【００６４】
２０：リンク    ２４：２重送信機    ２８：２重受信機
３２：入力モジュール    ３６Ａ，３６Ｂ：送信機（ＴＸ）
４０Ａ，４０Ｂ：送信アンテナ    ４４：ＴＸコントローラ
４８Ａ，４８Ｂ：受信アンテナ    ５２Ａ，５２Ｂ：受信機（ＲＸ）
５６：出力モジュール    ６０：ＲＸコントローラ
６８：デマルチプレクサ  
【図１】
2011510554.tif 000003
【図２】
2011510554.tif 000004
【図３】
2011510554.tif 000005
【図４】
2011510554.tif 000006
【図５】
2011510554.tif 000007
【図６】
2011510554.tif 000008
【国際調査報告】
2011510554.tif 000009